(57)【要約】  解放可能ケーブル結束具と結束方法を開示しており、電気ケーブルを束ねる一体成型された熱可塑性の細長く平坦なストラップと、当該ストラップの一端に形成されたロックヘッドと係合するため前記ストラップの一方の面に形成された複数のストラップ歯とが提供される。前記ロックヘッドの新規の解放可能ラッチは、大きく幅広い親指パッドと、当該パッドの下側に配置された人差し指のバックプレートとを備える。前記パッドは前記ストラップ幅の少なくとも９５％の幅を有し、前記バックプレートは少なくとも当該パッドの幅と高さと同じ大きさの幅と長さを有する。
2021516198.tif 000002
【特許請求の範囲】
【請求項１】
解放可能ケーブル結束具において；
（ａ）電気ケーブルを結束するための一体成型された熱可塑性の細長い平坦なストラップと；
（ｂ）前記ストラップの一方の面に形成された複数のストラップ歯と；
（ｃ）前記ストラップの一方の端部に形成されたロックヘッドであって、
前記ストラップの他方の端部を受け入れて通過させる開口部を有し、前記他方の端は前記開口部内にロック方向に挿入可能で、束ねられるケーブルを受け入れるループを形成し、前記ストラップ歯が前記束ねられるケーブルとは反対側の面に配置されているロックヘッドと；
（ｄ）前記ストラップに屈曲可能に支持された前記ロックヘッドの解放可能ラッチであって、
当該ラッチの少なくとも１つのラッチロック歯は前記ストラップ歯と相補的であり、前記開口部内に延びる前記ストラップが解放方向に移動することを阻止するため前記ストラップ歯と係合するよう形成され、前記ストラップと一体に形成されている解放可能ラッチと；
（ｅ）使用者が容易にアクセス可能な前記解放可能ラッチの大きく幅広い親指パッドであって、
当該大きく幅広い解放可能パッドは、前記解放可能ラッチの屈曲線を中心に屈曲されて前記ストラップを解放方向へ移動可能となるよう前記ロック歯をストラップ歯との係合から解除し、前記ストラップが前記ロックヘッドから解放されて前記ロックヘッドが再使用可能となる、大きく幅広い親指パッドと；
（ｆ）前記大きく幅広い親指パッドの下方で背後に位置する人差し指バックプレートであって、
前記大きく幅広い親指パッドと当該人差し指バックプレートは、前記ストラップが前記開口部内にあるときに前記ストラップと反対側の前記解放ラッチの側で前記ストラップから離れるように延び、前記大きく幅広い親指パッドと当該人差し指バックプレートは、前記屈曲線に沿って屈曲するようつまむ使用者が容易にアクセス可能である、人差し指バックプレートと、
から構成される、解放可能ケーブル結束具。
【請求項２】
前記ラッチロック歯は前記ストラップと対向する前記開口部の側にあり、前記大きく幅広い親指パッドの動きにより直接動作して前記ラッチロック歯を前記ストラップ歯とのロック係合から解除し、前記ストラップが解放方向へ移動するに十分な距離だけ移動させる、請求項１に記載された解除可能ケーブル拘束具。
【請求項３】
前記大きく幅広い親指パッドが、解放つまみ部親指グリップと、前記ストラップ幅の少なくとも９０％の親指パッド幅とを有する、請求項２に記載された解放可能ケーブル結束具。
【請求項４】
前記大きく幅広い親指パッドが、前記ストラップ幅の少なくとも９５％の親指パッド幅を有する、請求項３に記載された解放可能ケーブル結束具。
【請求項５】
前記人差し指のバックプレートが、少なくとも前記親指パッドと同じ幅と長さを有する、請求項４に記載された解放可能ケーブル結束具。
【請求項６】
前記ラッチロック歯が前記親指パッドと一体に形成されて該親指パッドの一方の端部に配置され、前記親指パッドはつなぎ部材に結合され、これにより前記親指パッドへの圧力が前記解放可能なラッチを前記つなぎ部材に沿って屈曲させて前記ラッチロック歯を前記トラップ歯との係合から解除する、請求項５に記載された解放可能ケーブル結束具。
【請求項７】
前記つなぎ部材が前記ラッチロック歯より下側に位置している、請求項６に記載された解放可能ケーブル結束具。
【請求項８】
前記ラッチを補強し、前記つなぎ部材と前記ラッチの屈曲線とを画定するよう構成され形成されたロックヘッド側壁を含む、請求項７に記載された解放可能ケーブル結束具。
【請求項９】
電気ケーブルを束ねて保持する方法において；
（ａ）電気ケーブルを束ねるために一体に成型された樹脂製の細長く平坦なストラップと前記ストラップの一方の面に形成された複数のストラップ歯を提供し；
（ｂ）前記ストラップのロックヘッド内に前記ストラップをロック方向に挿入することで束ねられるケーブルを受け入れるループを形成し、この際に前記複数のストラップ歯が前記束ねられるケーブルとは反対側の面に配置されており；
（ｃ）前記ストラップの一方の端部に形成された前記ロックヘッドの中で、前記ストラップの他方の端部を受け入れるための開口部を通過した前記ストラップをロックし、前記ロックヘッドは、前記ストラップと相補的な少なくとも１つのロック歯をラッチに有し、当該少なくとも１つのロック歯は、前記開口部内に延びて前記ストラップの開放方向への移動を阻止するためストラップ歯と係合するよう形成され、解放可能な前記ラッチは前記ストラップと一体に形成されて、ロックされたストラップを構成するよう当該ストラップから離れるように延びており；
（ｄ）大きく幅広い親指パッドと、当該大きく幅広いパッドの下方で背後に位置する人差し指バックプレートとから構成され、前記ストラップに屈曲可能に支持された前記ロックヘッドにある解放可能なラッチを操作することによって前記ロックされたストラップを解放し、ここで前記解放可能ラッチは使用者が容易にアクセス可能であり、当該解放可能ラッチは前記ストラップが前記開口部内にある時に当該ストラップから反対側の方へ離れるように延びて屈曲線に沿って屈曲しようとする使用者のアクセスが容易であり、前記ラッチは、前記ロックヘッドにある屈曲線に沿って屈曲して前記ロック歯をトラップ歯との係合から解除して前記ストラップを解放方向に移動可能にし、前記ストラップが前記ロックヘッド本体から解放可能であり、前記ロックヘッドが再使用可能であること、
からなる電気ケーブルを束ねて保持する方法。
【請求項１０】
前記ラッチロック歯は前記ストラップとは反対側の前記開口部の側にあり、前記大きく幅広い親指パッドの動きによって直接操作され、前記ストラップの解放方向への移動を可能にするよう前記ストラップ歯とのロック係合から前記ラッチロック歯を十分な距離だけ移動させる、請求項９に記載された電気ケーブルを束ねて保持する方法。
【請求項１１】
前記大きく幅広い解放可能な親指パッドは、解放つまみ部親指グリップを有し、前記ストラップ幅の約９０％の幅を有する、請求項１０に記載された電気ケーブルを束ねて保持する方法。
【請求項１２】
前記人差し指のバックプレートが、少なくとも前記親指パッドと同じ幅と長さを有する、請求項１１に記載された電気ケーブルを束ねて保持する方法。
【請求項１３】
前記大きく幅広い親指パッドが、前記ストラップ幅の少なくとも９５％の幅を有する、請求項１２に記載された電気ケーブルを束ねて保持する方法。
【請求項１４】
前記ラッチロック歯が、前記親指パッドの一端に配置されて前記親指パッドと一体に形成され、前記親指パッドが前記ラッチロック歯の下側に配置されたつなぎ部材に結合され、これにより親指パッドの端にかかる圧力が前記解放可能ラッチを前記つなぎ部材に沿って屈曲させ、前記ラッチロック歯を前記ストラップ歯との係合から解除する、請求項１３に記載された電気ケーブルを束ねて保持する方法。
【請求項１５】
ロックヘッド側壁が、前記つなぎ部材と前記ラッチ用の前記屈曲線を画定して補強するよう構築され、配置されている、請求項１４に記載された電気ケーブルを束ねて保持する方法。
【請求項１６】
解放可能結束具において、
（ａ）電気ケーブルを結束するための一体成型された熱可塑性の細長い平坦なストラップと；
（ｂ）前記ストラップの一方の面に形成された複数のストラップ歯と；
（ｃ）前記ストラップの一方の端部に形成されたロックヘッドであって、
前記ストラップの他方の端部を受け入れて通過させる開口部を有し、前記他方の端は前記開口部内にロック方向に挿入可能で、束ねられる電気ケーブルを受け入れるループを形成し、前記複数のストラップ歯は前記束ねられるケーブルとは反対側のストラップ面に配置されているロックヘッドと；
（ｄ）前記ストラップに屈曲可能に支持された前記ロックヘッドの解放可能ラッチであって、
当該ラッチの少なくとも１つのラッチロック歯は前記ストラップ歯と相補的であり、前記開口部内に延びて前記ストラップが解放方向に移動することを阻止するため前記ストラップ歯と係合するよう形成され、前記ストラップと一体に形成されている解放可能ラッチと；
（ｅ）使用者によって容易にアクセス可能な解放ラッチが形成できるよう、解放つまみ部親指グリップと前記ストラップの幅の少なくとも９５％の幅を有する大きく幅広い親指パッドであって、
前記ロック歯をストラップ歯との係合から解除して前記ストラップを解放方向へ移動できるよう前記ストラップの屈曲線に沿って屈曲できる位置に配置されている大きく幅広い親指パッドと；
（ｆ）前記親指パッドの下側に配置されて前記大きく幅広い親指パッドの背後で少なくとも該親指パッドの幅と高さと同じ大きさの幅と長さを有する人差し指バックプレートと、
から構成され；
（ｇ）前記大きく幅広い親指パッドは、前記ストラップが前記開口部内にあるときに前記ストラップとは反対側に当該ストラップから離れるように延び、屈曲線に沿って屈曲するよう使用者が容易にアクセス可能であり、
（ｈ）前記ラッチロック歯は前記ストラップとは反対側の側面にあって前記大きく幅広い親指パッドの動きによって直接操作され、これによって前記ラッチロック歯を前記ストラップとのロック係合から十分な距離だけ移動させて前記ストラップの解放方向への移動を許容し、
（ｉ）前記ラッチロック歯は前記親指パッドと一体に形成されて当該親指パッドの一端に配置され、前記親指パッドは前記ラッチロック歯の下側に配置されたつなぎ部材に結合され、それにより親指パッドの端部への圧力が前記解放可能なラッチを前記つなぎ部材に沿って屈曲させ、前記ラッチロック歯を前記ストラップ歯との係合から解除し、
（ｊ）前記ラッチを補強し、前記ラッチのためのつなぎ部材と屈曲線とを画定するように構成され配置されたロックヘッド側壁であって、前記ストラップが前記本体から容易に解放可能であり、前記ロックヘッドが再利用可能であるロックヘッド側壁を備えている、
解放可能結束具。
【発明の詳細な説明】
【技術分野】
【０００１】
本出願は、２０１７年１２月  ２日提出の米国仮特許出願番号62/593,908の部分継続出願である。
【０００２】
本発明は、対象物を一緒に束ねて保持するための結束具装置および結束方法に関する。１つの態様では、本発明は電気ケーブルを一緒に束ねるための結束具装置および結束方法に関する。また１つの態様では、本発明は航空機産業で使用される電気ケーブル結束具装置および結束方法に関する。 
【背景技術】
【０００３】
結束具は、電源コードや電気ケーブルその他束ねるべき対象物を結束して固定するために使用され、これにより電源コードや電気ケーブルを一緒にしっかりと確実に束ねて保持する役割を果たす。
【０００４】
米国特許第8,499,419号は、解放を容易にするためのアーム１７を有する解放可能結束具を開示しているが、アーム１７の寸法諸元はどこにも開示していない。 
米国特許第4,236,280号は、ラッチ２６と同ラッチ２６の屈曲線もしくはピボット線を有する解放可能結束具を開示しているが、ラッチ２６の寸法諸元はどこにも開示していない。 
米国特許第3,991,444号は、使用者の指の爪に係合する剛性レバー４２を有する解放可能ケーブル拘束具を開示している（第３欄第３７−４０行目および第５９−６２行目)。 
米国特許第3,908,233号は、延長部２６０を有する解放可能ケーブル結束具を開示しているが、当該延長部２６０の寸法諸元はどこにも開示していない。
米国特許第4,805,856号は、解放レバー２９を有する解放可能ケーブル結束具を開示しているが、当該解放レバー２９の寸法諸元はどこにも開示していない。 
米国特許第6,185,791号は、ラッチ２２を有する解放可能ケーブル結束具を開示しているが、当該ラッチ２２の寸法諸元はどこにも開示していない。
特許第7,866,005号は、解放タブ４２を有する解放可能結束具を開示しているが、当該解放タブ４２の寸法諸元はどこにも開示していない。
【０００５】
米国特許第5,901,416号は、クリップ２８を有する解放可能結束具を開示しているが、当該クリップ２８の寸法諸元はどこにも開示していない。 
米国特許第5,890,265号は、ロックタブ３６の先端部分４２を有する平行挿入結束具を開示している。拘束ヘッドの歯４４から外すには当該先端部分４２が上方に持ち上げられる。
米国特許第5,193,250号は、爪２８からの遠隔端で上向きに突出する延長部３４を有する解放可能ケーブル結束具を開示している。 
米国特許第5,687,455号は、アーム１９の操作端２０を有する解放可能円形ファスナを開示しているが、当該アーム１９の寸法諸元はどこにも開示していない。 
米国特許第5,577,698号は、祭日装飾具を保持するためのロック部材を有する祝賀装飾用の搭載部を開示している。
米国特許第4,813,105号は、アクセスし難い領域における航空機の困難環境用にケーブルやワイヤを束ねるクランプの爪１６の上部８８を有するケーブル・クランプを開示している。 
米国特許第3,747,164号は、部材６２を有する回転式解放ストラップを開示している。
米国特許第8,955,198号は、ストラップ本体との相互ロックを手動で解除するための親指プレート８２を開示している。 
【０００６】
今日市場で入手可能な結束具では、きつく束ねて締め付けられると電源コードや電気ケーブルを傷付けることなく解放することができない。結束された状態にある電源コードや電気ケーブルその他の対象物の数を増減したいとき、あるいは既に拘束状態にある対象物を再配置したいときなどには、従来の結束具ではこれを切断して新しいものと取り替える必要があった。これは不便でコストがかかるばかりでなく、もっと重要なことには電源コードまたは電気ケーブルの損傷につながりかねないことである。もし結束具に束ねられた電源コードや電気ケーブルが損傷を受けると、電気配線全体を交換してやり直す必要がある。今日の大型旅客機の生産においては、何マイルにも及ぶ電気ケーブルを交換して初めからやり直さなければならなくなる。
【発明の概要】
【発明が解決しようとする課題】
【０００７】
本発明の解放可能ケーブル結束具装置および結束方法は、上述した従来技術における欠点および問題点を克服するための手段および方法を提供するものである。
【課題を解決するための手段】
【０００８】
本発明では、ストラップとロックヘッドとを含む解放可能ケーブル結束具を提供する。前記ストラップは第１の端部と反対側の第２の端部とを有する。前記第１の端部はロックヘッドに接合されている。前記ロックヘッドは、開口部を設けるよう形成されている。前記ストラップの反対側の第２の端部は、前記ロックヘッドの開口部を通して挿入され、ロックヘッドと係合して所定位置でロックヘッドに固定される。
【０００９】
前記ロックヘッドは、ベースプレートと、一対の第１の側壁と、第２の側壁と、操作ロッドとを含んでいる。前記ベースプレートは、前記ロックヘッドの開口部を提供するよう形成され、前端と後端を有する。前記一対の第１の側壁は、前記ベースプレートの前端で対向する２つの側面にそれぞれ形成されている。前記第２の側壁は前記ベースプレートの前端に配置され、前記第１の側壁にそれぞれ接続する２つの平行な側面を有している。
【００１０】
本発明の前記ロックヘッドの操作ロッドは、前記ベースプレートの開口部の上方に設けられ、接続部材を介して前記第１の側壁と相互に接続されている。当該操作ロッドは、第１の上面を持つ。前記操作ロッドの少なくとも１つの第１の係合歯が、前記第１の上面から垂直方向下向きに延びて所定の深さに設けられている。少なくとも１つの第１の係合歯は、歯の深さを画定する第２の上面を有している。前記操作ロッドはさらに、前記ストラップから離れる方向に操作ロッドから延びるアームを含んでいる。
前記ストラップは上面と底面を有しており、上面はストラップの底面よりも前記操作ロッドのアームに近接している。前記ストラップの底面には、前記ロックヘッドの操作ロッドの第１の係合歯と係合可能な複数の第２の係合歯が設けられている。当該第２の係合歯は、所定の歯の深さを有する。前記ロックヘッドの第１の係合歯の深さは、前記ストラップの第２の係合歯の深さよりも深く、前記所定の深さは、所定の歯のピッチよりも大きい。
【００１１】
本発明の主要な目的は、本発明に係る解放可能結束具を提供することにあり、ここでは前記ストラップが前記ロックヘッドの開口部を通して挿入された後、前記ロックヘッドの第１の係合歯の第１の歯の深さが前記第２の係合歯の第２の歯の深さよりも深いことによって、前記第１の係合歯とそれに係合する前記第２の係合歯との間に小さな隙間が形成される。その結果、前記ストラップの挿入抵抗が軽減され、前記開口部を通過する前記ストラップ本体の挿入が容易になる。
【００１２】
本発明の他の目的は、前記操作ロッドの第１の上面と前記ロックヘッドの第１の係合歯との間の所定深さと、前記ストラップの第２の係合歯の所定の歯ピッチとによって特徴付けられる本発明の解放可能ケーブル結束具および同方法を提供することであり、ここで前記ストラップが前記ロックヘッドの開口部に第１の方向に挿入されたときに前記ストラップの第２係合歯が前記操作ロッドの第１の係合歯と係合する。前記所定の歯のピッチよりも大きい前記所定の深さは、少なくとも２つの第２の係合歯を同時に受け入れることができ、これによって解放可能結束具の引張りに対する抵抗力を増大させている。
【００１３】
本発明の解放可能ケーブル結束具および結束方法の他の目的は、ロックヘッドの操作ロッドの第１の上面が延長した長さを持つ解放可能結束具を提供することである。当該延長した長さにより、ストラップに外力が加わったときでも操作ロッドが簡単にひっくり返ることがなく、前記ロックヘッドから前記ストラップが緩まないようストラップに圧力を及ぼす。
【００１４】
本発明の他の目的は、前記操作ロッドから前記解放タブのアームが延びていることによって、使用者が前記アームに容易に力を及ぼして前記操作ロッドの少なくとも１つの第１の係合歯を前記ストラップ本体の第２の係合歯から外すことができ、これによって前記ストラップ本体の反対側の第２の端部を前記ロックヘッドの開口部から引き出し可能とする本発明の解放可能結束具装置および結束法を提供することである。このように、当該解放可能結束具は、操作が簡単で、繰り返し使用することができ、使用コストが低く、そしてより重要なことにはケーブル結束具が解放されて取り除かれる際に電源コードや電気ケーブルに何らの損傷をも与えないことを特徴とするものである。
【００１５】
本発明の結束具および結束方法の上述したこれらの目的、およびさらなる目的は、以下に示す技術図面の明確な表示および詳細な説明を精査することによって明らかになるであろう。 
【図面の簡単な説明】
【００１６】
本発明の構造、ならびに本発明の好ましい使用モード、さらなる目的および利点は、本発明の解放可能ケーブル結束具の例示的な実施形態の詳細な説明を以下の添付の技術図面の明確な表示とともに参照することによって理解されるであろう： 
【図１】本発明の好ましい実施形態に係る解放可能ケーブル結束具の平面図である。
【図２】本発明の好ましい実施形態に係る解放可能ケーブル結束具の立面図である。
【図３】本発明の好ましい実施形態に係る解放可能ケーブル結束具の拡大平面図である。
【図４】本発明の好ましい実施形態に係る解放可能ケーブル結束具の拡大立面図である。
【図５】本発明の好ましい実施形態に係る解放可能ケーブル結束具の立面図であり、ロックヘッド内の所定位置に保持された解放可能ストラップを示す。
【発明を実施するための形態】
【００１７】
本発明は、固定効果を達成するために細長いストラップの係合歯が採用され、ロックヘッドの係合歯との間の解放可能な係合が新規な方法で操作される、解放可能ケーブル結束具を含んだ新規の結束具装置および結束方法を提供する。以下の詳細な説明で参照される図面は、本発明に係る新規の解放可能ケーブル結束具の重要な特徴を特定し、描写し、証明する。
【００１８】
まず図１を参照して、本発明の好ましい実施形態に係る解放可能結束具１０は、細長い平坦なストラップ２０と、ロックヘッド３０とを含んでいる。ロックヘッド３０は、開口部１２を備えており、当該開口部１２は、ロックヘッド３０を完全に貫通して延びるチャネル、通路、あるいは窓口を提供している。細長いストラップ２０は、第１の端部１４および反対側の第２の端部１６を有する。 ストラップ２０の第１の端部１４は、ロックヘッド３０に結合している。ストラップ２０の反対側の第２の端部１６は、ロックヘッド３０の開口部１２内に挿入され、ロックヘッド３０と係合してロックヘッド３０の所定位置に固定され、束ねられる対象物を結束することができる。
解放ストラップ２０は長尺の長さ１８を有することが図示されている。ストラップ２０の上面にある解放可能ロック歯２２は、調節可能なストラップをロックヘッド３０内に固定するための手段を提供する。解放ガイドレール２４は、ストラップ２０をロックヘッド３０の開口部１２内に滑り込ませる手段を提供する。 解放ストラップの舌部２６は、ガイドレール２４の開口部１２内への挿入をガイドする。
【００１９】
次に図１の平面図およびこれに対応する図２の立面図を参照すると、解放ヘッド３０の底板２８は、人差し指パッドサポート３２と一体になっている。解放親指パッド３４には、解放つまみ部（release ripple trip）／親指グリップ３６が設けられている。ストラップ２０にはストラップ底部３８が表示されている。
次に図３および図４を参照すると、解放ロックヘッド４２は、解放ヘッド側壁４４および頂部解放ヘッド４６を含んでいる。ロックヘッド３０は、人差し指パッド４８と、解放ヘッド開口挿入部／ストラップ開口部１２と、ストラップ挿入枠壁５４と、解放タブ通過部５６と、解放ヘッドロック歯５８と、そして解放タブの支点６２が組み込まれている。人差し指パッド４８は、親指パッド３４の背後で下方に配置されたバックプレートを提供している。
【００２０】
本発明に係る「安全ケーブル結束具  新ＥＺ解放可能」ケーブル結束具のデザインは、迅速で容易な解放、加えて快適な解放トリガー反応を提供することが見出されている。当該「ＥＺ解放可能」結束具は、技術図面の正確な表示に示されているように、親指パッドもしくはパドル３４に新規な幅広い解放つまみ部／親指グリップ３６を使用しており、前記親指パッドもしくはパドル３４は、使用者にとってより大きく幅広い領域を生み出している。当該「ＥＺ」解放可能結束具は、親指パッド３４の表面積が大きいことにより、またロック歯５８を解放するのに必要な力または引っ張り力が使用者の親指の幅全体に広がることにより、迅速な解放とスムーズな操作を実現する。つまみ部３６のある親指パッド３４は、操作者の平均親指幅の３分の１から２分の１（１/３から１/２）の広さがあり、これがより快適な押し込み（squeeze）と解放操作を可能にしている。平均的な親指幅は約２．５ｃｍとされている。親指パッド３４は、所定の幅に形成されている。
【００２１】
本発明の親指パッド３４は、ストラップ２０の幅の少なくとも９０％の幅を有するように形成される。好ましい実施形態では、親指パッド３４は、スラップ２０の幅の少なくとも９５％の幅を有するように形成される。１つの実施形態では、親指パッド３４は幅７．６ｍｍのストラップ２０に対して７．５ｍｍの幅を有する。１つの実施形態では、親指パッド３４は５．６ｍｍ幅のストラップ２０に対して５．５ｍｍの幅を有する。１つの実施形態では、親指パッド３４は幅４．６ｍｍのストラップ２０に対して４．５ｍｍの幅を有する。
人差し指バックプレート４８は、少なくとも親指パッド３４の幅および長さと同じ幅および長さの寸法を有する。 換言すれば、指のバックプレート４８の幅および長さは、少なくとも親指パッド３４と同じ幅および長さである。 
【００２２】
親指パッド３４の０．５ｍｍの解放移動距離は、解放ヘッドロック歯５８をストラップ歯２２から後退作動させて本発明のケーブル結束具を解放させることになる。
人差し指バックプレート４８は、少なくとも親指パッドの幅と長さの１００％の寸法のバックプレートを提供する。 
大人の親指の平均的な幅は約２．５ｃｍである。前記親指パッド３４は、幅が少なくとも３ｍｍ、長さが少なくとも６．５ｍｍあり、前記平均的な親指幅に対応してより快適な押し込みと解放操作を実現している。 
【００２３】
親指パッド３４の長さは、結束具１０の寸法との関数である。ストラップ２０の寸法が７．６ｍｍである結束具１０には、親指パッド３４の長さは少なくとも５ｍｍから最大１９ｍｍまでの範囲の長さ関数が対応しており、好ましい親指パッドの関数の大きさは１４ｍｍで使用時の快適さと使いやすさの両方が実現される。
人差し指のバックプレート４８から上の親指パッド３４の高さは、結束具１０の寸法との関数である。７．６ｍｍのストラップ２０の寸法を有する結束具１０には、少なくとも２ｍｍから７ｍｍまでの範囲の高さを備えた親指パッド３４が対応しており、快適さと使い易さの両方のためには、好ましい関数の高さは人差し指バックプレート４８の高さよりも３．５ｍｍ高いことである。 
【００２４】
結束具１０の寸法が大きくなるにつれて親指パッド３４の長さと関数の範囲が大きくなり、結束具１０の寸法が小さくなるにつれて親指パッド３４の長さと関数の範囲が小さくなる。
結束具１０の寸法が大きくなるにつれて人差し指バックプレート４８から上の親指パッド３４の高さが前記関数の範囲に対して大きくなり、結束具１０の寸法が小さくなるにつれて人差し指バックプレート４８から上の親指パッド３４の高さが前記関数の範囲に対して小さくなって、平均的親指幅を受け入れてより快適な押し込みと解放動作を生み出す。
従来技術の解放可能ケーブル結束具は通常はるかに小さな解放タブしか有しておらず、指または指の爪に掛かる圧力を高め、ストラップのロック歯からロックヘッドのロック歯を解除するにははるかに大きな力を必要とする。従来技術は、特には狭い空間やきつく締め付けられた際には、使用者がケーブル結束具をロック位置から適切に解放することをより困難にし、時には不可能にする緊張を及ぼすこともある。 
【００２５】
図３と図４とを参照すると、ここにはロックヘッド３０の解放ロックヘッド４２の構造を示しており、上部解放ヘッド４６は、結合されて一体的に形成された解放ヘッド下部２８を含んでいる。内部開口枠壁５４は、解放ロックヘッド４２の解放ヘッド側壁４４間に延びている。 解放親指パッド３４の下側の解放タブ支点６２は、解放親指パッド３４を補強している。当該解放タブ支点６２は解放親指パッド３４の直立部分と結合し、解放親指パッド３４を強化するばかりでなく、解放親指パッド３４の屈曲線もしくはピボット線を定めている。解放ヘッド側壁４４の側面はまた、解放ヘッド側壁４４よりも低い高さで後方に延びる部分を含み、解放親指パッド３４を横方向の干渉から保護し、解放ヘッド側壁４４に追加の強度を提供するのに役立っている。
【００２６】
親指パッド３４と一体的に形成され、それに沿って移動するよう解放ヘッド開口部１２内に延びているのはロック歯５８である。図示の実施形態では、親指パッド３４の内部表面上の２つのロック歯が、解放ロックヘッド４２内で解放親指パッド３４の一部を形成している。ロックヘッドのロック歯５８は、ストラップ２０の歯２２と相補的関係にあり、解放ヘッド開口部１２内に十分な長さで延びて選択されたストラップロック歯２２と協同し、相互保持される複数の電力コードや電気ケーブルを取り巻くストラップを所定位置でロックしている。
【００２７】
次に図３および図４を参照して、拡大された平面図が解放ストラップ２０を表している。噛み合い歯あるいは突起部２２は、解放ストラップ２０の上面から比較的短い距離だけ延び、それによりロックヘッド４２内の横向き解放ヘッド開口部１２を通過して挿入された解放ストラップ２０の締め付けを強化する。
本発明の解放ストラップ２０は、複数の細長い電線（図示せず）の周りで位置決め固定することができる。ストラップ２０の反対側の第２の端部１６は、一体に寄り合って固定され束ねられる複数の電線等の周りにストラップ２０がぴったりと引き寄せられるまで解放ヘッド開口部１２の横向き開口部内に挿入される。解放ストラップ２０が電線の周りにしっかり引っ張られると、相補的な解放ロック歯２２は、ロックヘッド歯５８と関係してロックされる。ベース部分に垂直な歯２２のエッジは、解放親指パッド３４の内面に垂直な歯５８のエッジに当接する。 
【００２８】
ロック歯２２の当接した平面は、選択されて協働する歯５８の同様な協働面と係合しているため、解放方向へ向かう後退もしくは移動が阻止される。ストラップ１０の平面に対する解放ヘッド開口部１２の横向きの関係のため、歯２２と５８との相補的な構造は、ベース部分が解放方向に引き寄せられても互いに解放されることなくより強固に係合する。
ストラップ２０の歯２２からのロック歯５８の解除は、解放親指パッド３４に加えられる積極的な下向きの力によってかなえられる。この時、解放ヘッド４２の解放タブ支点６２に対して解放親指パッド３４が折り曲げられ、これによってストラップ２０の歯２２との係合からロック歯５８が解除される。親指パッド３４の０．５ｍｍの解放動作はストラップ歯２２との係合から解放ヘッドロック歯５８を引き離し、本発明の解放ケーブル結束具を解放する。その後、ストラップ２０を横向き解放ヘッド開口部１２内を解放方向に移動させ、当該結束具１０からの電源コードまたは電気ケーブル（図示せず）を調整しまたは取り外すことができるようになる。 
【００２９】
次に図５を参照して、本発明の好ましい実施形態に係る解放可能ケーブル結束具１０の立面図は、ロックヘッド３０内の所定位置で保持されている解放可能なストラップ２０を示している。ストラップ２０は、ロックヘッド３０を解放する一体型の解放可能なラッチ機能によって容易に解放可能であり、所望により容易に再結束したり調整したりすることが可能である。
解放ケーブル結束具１０は、好ましくはナイロンやポリプロピレンなどの熱可塑性樹脂から一体に成型され、所望の動作ならびに望ましいラッチ効果と解除を可能にする十分な強度および弾力性を有する。 
解放ケーブル結束具１０は、特定の産業用途における使用を促進するために色分けすることもできる。
【００３０】
詳細な説明および技術図面の正確な表示に対する参照符号の特定は、本発明の新規の解放可能ケーブル結束具の現時点での好ましい実施形態を示しているが、変更は可能であり、本発明は添付の特許請求の範囲内のみに限定されることが意図されている点は理解されるであろう。
【００３１】
本発明の解放可能ケーブル結束具は、操作ロッドに解放タブを備え、当該解放タブは締め付けられたときに結束具の上部から直立して立ち上がる。結束具はさらに、解放タブの下方で背後に配置されたバックプレートを有し、解放する際に解放タブをつまみやすくしている。
本発明の解放可能ケーブル結束具は、大きく幅広い親指パッドもしくはパドル解放部と、解放親指タブの下方で背後に配置された人差し指パッドのバックプレートを備えている。この大きく幅広の親指パッドは、使用者が容易にアクセスできるよう解放可能ラッチ上に好ましい長さと幅で形成されている。この大きなパッドあるいはパドル解放部と人差し指パッドバックプレートにより、余分な力を使用することなく解放タブ自体をつまんで解放し易くしている。当該人差し指バックプレートは、本発明の親指パッドの背後で下方に配置されている。
【００３２】
本発明の解放可能ケーブル結束具は、締め付けられたときに幅広解放タブパッドがストラップ上に直接横たわるのではなく、ストラップから直立して立つことで非常に重要な利点を提供する。締め付け時にこの幅広い解放タブパッドがストラップの上に直接横たわることなく、ストラップから所定距離だけ離れて立ち上がることで、使用者が解放タブパッドの両側に指を置く十分な余地が生じ、結束具をつまんで解放するための十分なレバー効果を与えることができる。従来からの古い技術では、結束具がきつく締め付けられると解放タブの後ろに指が入る余地がなくなる。従来技術のケーブル結束具を使用した場合、タブ上で結束具を解放可能にするだけの十分なレバー効果を得ることは困難であるか、あるいはほぼ不可能であることが知られている。
【００３３】
本発明の解放可能ケーブル結束具は、現在知られている他の解放可能ケーブル結束具と比較して、結束具がケーブル束から容易に解放されるように構成されているという点で重要であり、新規である。本発明の解放タブパッドは、ストラップの中央ではなくヘッドの上部にある。ストラップの中央に解放タブがある解放可能ケーブル結束具では、電気ケーブルがきつく締め付けられていると、ケーブル結束具が束になった電気ケーブルの周りに位置することになって解放が非常に困難になる。
従来技術のケーブル結束具では、作業者が解放タブ自体にレバー効果を何ら及ぼすことができないため、狭いスペースにおいてロックヘッドの解放タブを押さえることが非常に困難であり、ほとんど不可能である。
【００３４】
本発明の新規の解放タブパッドにより、使用者／作業者は、電気ケーブル束の周りにきつく締め付けられていても解放タブパッドへのアクセスが可能となる。
本発明のケーブル結束具によれば、ケーブル結束具が電気ケーブル束の周りにきつく締め付けられているがためにワイヤーカッターなどでケーブル結束具を切り離す手段に頼らざるを得ない、などということはなく、容易に解放することができる。これまで解放可能ケーブル結束具が適切に外れないときには、使用者／作業者はケーブル結束具を取り外すために切断するほかなかった。この際、ストラップで一緒に固定されている電気ケーブルは切削工具の刃による損傷のリスクが高まる。電線束が損傷すると束内の電線が損傷することで使用不能となり、電線に損傷がないことを保証するには電線ケーブルアセンブリごと全体を完全にやり替えねばならない。
【００３５】
本発明の解放ケーブル結束具は、解放タブパッドへのアクセスを容易にしており、過重負荷がかかったストラップであっても解放タブへ手を差し延べて解放することは容易である。
本発明の新規の解放タブパッドは、過去の従来技術タブと比較してはるかに大きく幅広いため、押し込みがはるかに容易である。
本発明の解放可能ケーブル結束具は、使用者／作業者が両手を差し込むスペースがなく到達困難なスポットであってもアクセスを容易にする。
大きくて幅広い解放親指パッドと指板バックプレートとを有する本発明の大きな解放タブは、迅速で容易な解放を目的とした２本の指の素早い差し込みを可能にする。 
【００３６】
従来技術によるこれまでのケーブル結束具では、先行米国特許文献に開示され記載されているような逆ヘッド解放可能ケーブル結束具が本発明の大きく幅広い親指パッドよりもはるかに小さなヘッド設計とはるかに細いストラップデザインになっていた。従来のケーブル結束具の小さなヘッドは把持面積が小さいため、タイトな場所に手を差し延べ、解放し、束からケーブル結束具を引き離したりすることがはるかに困難であった。従来のケーブル結束具のヘッドとタブははるかに小さいため、狭いスペースでヘッドを保持しつつケーブル結束具を見付けて手を差し延べ引き抜こうとするのははるかに困難であり、ほとんど不可能である。
【００３７】
本発明のより大きく幅広い解放親指タブパッドと、隆起部を有するより大きな人差し指バックプレートによれば、ケーブル結束具がきつく締め付けられていても手を差し述べている間に２本の指でこれを掴み、保持することが容易であり、ケーブル結束具を引き出して電気ケーブル束からケーブル結束具を解放することも容易である。
本発明の解放可能ケーブル結束具親指パッドと従来技術の解放可能ケーブル結束具との間の重要な違いは、指把持プレートと、保持し、差し延べ、解放することがはるかに容易となるより大きな解放タブ親指パッドにある。
【００３８】
本発明の解放可能ケーブル結束具装置および結束方法は、束ねられたアイテムを確実に保持するためにきつく締め付けることができる一方、片手または２本の指の動作で迅速かつ容易に取り外すことが唯一可能である「ＥＺ解放可能ケーブル結束具」を提供している。
従来の解放可能ケーブル結束具では、ケーブル結束具をケーブルの周りにきつく締め付けると、それを簡単に取り除くことはできない。これまでの結束具では、古いスタイルの解放可能ケーブル結束具を解放するための適切なレバー効果をタブに与えることができない。従来の解放可能結束具では、当該解放可能結束具がケーブルの周りにきつく巻かれていると、使用者/作業者が解放タブを押し込む際に１本の指を結束具の後ろに差し込むことができない。
【００３９】
本発明の解放可能ケーブル結束具の新しい「安全ＥＺ解放可能ケーブル結束具」のデザインは、主要な旅客機製造業者が電気ケーブルを旅客用飛行機の側面に固定するために使用する小さな円形支持体に納まる製品を要求したことから開発が開始された。旅客機の製造業者は、最終組み立て時に恒久的な飛行可能状態のケーブル結束具が取り付けられるまでの飛行機の艤装と配線をする間だけ一時的に使用可能な製品を必要としていた。旅客機製造業に関わる全ての電気技師やその他の製造担当者からの共通の要求は、５０ポンドもしくはそれ以上の荷重を保持することが可能であり、かつケーブルアセンブリから切断することなく簡単に取り外すことができる解放可能結束具を得ることであった。解放可能ケーブル結束具は、電気ケーブルアセンブリの周囲をきつく締め付けると共に、簡単に外せることが要求された。
【００４０】
この旅客機製造業者の問題点を解明し解決するプロセスは、従来技術のケーブル結束具には見出すことができず、第一印象で考えられるほど簡単なものではなかった。「新安全ケーブル解放可能」の結束具によって本発明の解放可能ケーブル結束具の構成と構造を獲得するに至るまでには、この構成と構造を見出すための多くの実証的な開発を必要とした。レバー効果に関わる問題点を理解することに関して、解放可能なタブの後ろに２本の指を押し込むための方法を見付けなければならなかった。当初の開発は、引金を引くような銃のデザインから始まった。銃のデザインは非常に大きく、製造することや使用者/作業者が解放タブの後ろに１本の指をしのばせるのにはやはり問題があるようであった。その後、開発は本発明の「新安全ケーブル結束具解放可能」結束具を生み出すために試行錯誤を重ね、使用者/作業者にはそれでもまだ解放タブへの十分なレバー効果を得ることができないことがわかった。
【００４１】
多くの試行錯誤の後、本発明のパッドもしくはパドルレバーは、作業者/使用者にはるかに快適な操作を提供するだけでなく、電気ケーブル束の周囲にきつく締め付けられた本発明の新しい解放可能ケーブル結束具を解放するために必要となる適切なレバー効果を提供するものであることが経験的に判明し、最終的な構成を見出すことができた。
【００４２】
当該「安全ケーブル結束具 新ＥＺ」解放可能結束具が大手旅客機製造業者のために開発されると、製造業者は、航空機の製造中に飛行機の胴体からケーブル結束具を取り外すことができる特有の要求を明らかにした。旅客機製造業者は、使用し操作することが容易であり、完成したワイヤハーネスに恒久的なもしくは飛行可能なケーブル拘束具が取り付けられたときには電気ワイヤハーネスから解放される商品を必要としていたのだ。旅客機製造業者は、市場で入手可能なあらゆる解放可能ケーブル結束具を試したものの、本発明の新しい解放可能ケーブル結束具が開発されて実験的に成功裏に問題解決をするに至るまで成功を見出すことはなかった。
【００４３】
本発明の解放可能ケーブル結束具装置および結束方法は、締め付け時に解放タブ親指パッドが結束具から直立して立つという点で重要な新規構成を備えている。新しい結束具にはさらに、人差し指バックプレートがタブの親指パッドの背後の下側に配置されているため、外すときにタブをつまむのが容易になる。
ほとんどの従来技術の解放可能結束具では、きつく締め付けられるとストラップとタブの間に指を入れる余地がない。ほとんどの従来技術の解放可能結束具では、タブをつまんでストラップを解放できるようタブにレバー効果を及ぼすことは不可能であり、このことが作業者／使用者をしてストラップを切断させることにつながった。他の解放可能ケーブル結束具では不適切な設計のラッチが付いているため、作業者／使用者は指の爪に力を加えるかドライバーを使用するかによりそれらを解き放さなければならなかった。
従来技術の解放可能結束具の中には、つまんで解放することができるストラップ上に配置されたタブを有するものがある。しかしながらこれらの先行技術の解放可能結束具では、締め付けられるとタブをつまんで解放できるようなレバー効果をもはや利用することができなくなっている。
【００４４】
本発明の新規な大きく幅広い解放タブ親指パッドは、ストラップの上部から直立するため、作業者／使用者はタブパッドの両側に指をかけて簡単につまんで結束具を解放することができる。ストラップの上部から直立したタブ親指パッドは非常にうまく機能するため、作業者は指に負担をかけることなくタブ親指パッドに簡単にアクセスして結束具を外すことができる。 
【００４５】
本発明の解放可能ケーブル結束具を他のケーブル結束具と区別する重要な特徴および利点は、締め付けられたときに解放タブ親指パッドがストラップに直接横たわることなく、ストラップの上部から直立して立つという事実である。本発明の新規の解放可能ケーブル結束具は、タブパッドの両側に指を置くことができる十分な余地を使用者に与え、結束具をつまんで十分なレバー効果を及ぼし、容易に結束具を解放することができる。これまでの技術では、結束具をきつく締めたときにタブの背後に指を入れることができなかったため、結束具を解放するために十分なレバー効果をタブに及ぼすことはできなかった。
本発明では、大きく幅広いパッドもしくはパドル解放部と人差し指のバックプレートとを備えており、これらは解放タブ親指パッド自体を、余分な力を使用することなくはるかに容易にこれをつまみ、解放することを可能にしている。
【００４６】
当該解除可能なケーブル結束具は、熱可塑性樹脂を使用して射出成型によって製造される。１つの態様では、解放可能ケーブル結束具はポリプロピレンまたはナイロンで形成されている。１つの態様では、解放可能ケーブル結束具はナイロン６６により構成されている。 
【００４７】
本発明の解放可能な一体型熱可塑性ケーブル結束具が提供する重要な利点は、大きく幅広いタブ親指パッドが、締め付け時にストラップに直接横たわるのではなくストラップの上部から直立して立つことにより、タブ親指パッドの両側に指を置くことができる十分なスペースを使用者に与え、結束具を容易につまんで解放するに十分なレバー効果を与えることができることにある。これまでの技術では、結束具がきつく締め付けられるとタブの背後に指を入れる余地がなくなり、結束具が解放できるだけの十分なレバー効果を解放タブに及ぼすことは非常に困難であるかほぼ不可能であった。新規の解放可能ケーブル結束具は、新規の大きなパッドもしくはパドル解放具と人差し指バックプレートとを提供しており、タブ自身を余分な力を使用することなくつまみ、解放可能にしている。
【００４８】
本発明の新規な解放可能ケーブル結束具は、きつく締め付けることができ、その後に２つの指のみを使って作業中に引っ掛かったり詰まったりすることなく数秒以内に容易に解放できることがわかった。
本発明の新規の解放可能ケーブル結束具の確認された重要な利点、特徴、および利点には、使い易さ、きつく保持する能力、タブ親指パッド自体のグリップの高強度、迅速な解放、および全体的な耐久性が含まれる。
【００４９】
本発明の新規の解放可能ケーブル結束具について、旅客機製造業者に実験的に提供することで見出された改善効果として、これまで非常に困難であった飛行機の部分や、偶発的に解放されても救済不可能であった部分に、解放可能に必要な解放親指パッドのつまむ力を旅客機製造業者に提供できるものであることが判明したことであり、さらには今日の旅客機製造常業者で経験されるような、より融通性のあるサイズが提供可能である点が見出されたことである。
【００５０】
本発明の解放可能結束具は、全てのケーブルが操縦パネルに向けて集中する飛行機の前部にある非常にきつい場所でも片手または２本の指で操作可能であることが実験的に見出された。飛行機の前部には非常に混み入ったケーブルの束があり、これらの束のほとんどは互いに折り重なって配置されている。電気技師が解放可能ケーブル結束具を取り外すことは非常に困難である。今日市場にあるケーブル結束具では、ほとんどの場合両手を使って結束具を解放する必要があり、ケーブル結束具を押し込むためにこれらの場所に１本以上の手を入れることができないため、電気技師は従来の結束具を切断せざるを得なかった。
電気技師は、ワイヤハーネスを完備する際に通常毎日５０個または１００個以上の解放可能結束具を解放する必要がある。この解放すべき解放可能結束具の数が多いため、通常の解放可能結束具を押し込むと作業者には痛みと不快感を及ぼす。本発明の解放可能結束具は、このような不快感の問題を解消することが見出された。解放可能なタブをより大きく幅広くすることにより、本発明の解放可能結束具の新規な大きい親指パッドは親指の表面領域を押し拡げ、より快適な解放を可能にする。 
【００５１】
大きく幅広い解放タブの予期しない利点として、ロック歯の容易な解除があることも経験的に見出された。親指パッドにおけるより大きな力によって、電気技師は、親指もしくは指のより少ない力で本発明の新しい解放可能結束具を解放し、どのような厳しい場所からでも容易に引き出すことができる。
本発明の解放可能ケーブル結束具によれば、使用者の一方の手の２本の指のみを差し延べて圧力下にある解除可能な結束具を解放することができる。７．６ｍｍのストラップサイズを有し、ロックヘッドと新規の支点を有する好ましい実施形態に係る本発明の解放可能ケーブル結束具は、１００ポンド以上の全体引っ張り強度に耐える極めて良好に作用することが確認された解放可能なタブ機能を備えるより強力な解除可能な結束具を提供するものであり、偶発的な解放の怖れを低減させるより安定した解除可能なタブを提供することにもなる。
【００５２】
本発明の新しい解放可能結束具の強度、快適性、解放の容易さにより、大型旅客機の製造により明らかにされた全ての希望項目は、この新しい解放可能結束具によって満たされるものとなる。タイトな場所から解放可能結束具を取り外すことの問題点は、片手または２本の指による解放によって解消され、ワイヤハーネスを取り外すために結束具を切断したりワイヤハーネスを損傷したりすることなしに引き出すことを可能にする。
【産業上の利用可能性】
【００５３】
本発明は、対象物を互いに結び付けて保持するための結束具装置および結束方法に関する。１つの態様では、本発明は、電気ケーブルを一緒に束ねるための結束装置および結束方法に関する。１つの態様では、本発明は、航空産業で使用される電気ケーブル結束具装置および結束方法に関する。
【符号の説明】
【００５４】
１０．解放ケーブル結束具、  １２．ロックヘッド開口部、解放ヘッド開口部（ストラップ開口部）、  １４．ストラップ本体の第１の端部、  １６．ストラップ本体の第２の端部、  １８．「ＥＺ解放」ストラップの長さ、  ２０．解放可能ケーブル結束具のストラップ、  ２２．「ＥＺ解放」ロック歯（調整可能ストラップ）、  ２４．「ＥＺ解放」グライドレール、  ２６．「ＥＺ解放」ストラップ舌部、  ２８．底部解放ヘッド、  ３０．解放ロックヘッド、  ３２．人差し指パッドサポート、  ３４．「ＥＺ解放」親指パッド、  ３６．親指グリップ用解放つまみ部、  ４２．「ＥＺ解放」ロックヘッド、  ４４．「ＥＺ解放」ヘッド側壁、  ４６．頂部解放ヘッド、  ４８．人差し指パッド、  ５４．ストラップ侵入口枠壁、  ５６．「ＥＺ解放」タブ通過部、５８．ロック歯、  ６２．「ＥＺ解放」タブ支点、  ６４．「ＥＺ解放」グライドトラック 
【図１】
2021516198.tif 000003
【図２】
2021516198.tif 000004
【図３】
2021516198.tif 000005
【図４】
2021516198.tif 000006
【図５】
2021516198.tif 000007
【手続補正書】
【提出日】令和2年12月1日(2020.12.1)
【手続補正１】
【補正対象書類名】特許請求の範囲
【補正対象項目名】全文
【補正方法】変更
【補正の内容】
【特許請求の範囲】
【請求項１】
解放可能ケーブル結束具において；
一体成型された熱可塑性の細長い平坦なストラップであって、一方の面に形成された複数のストラップ歯と；一方の端部に該ストラップと一体に形成されたロックヘッドと、を含むストラップから構成され、
前記ロックヘッドが、
前記ストラップの前記一方の端部に隣接した該ロックヘッドの第１の端部にあるロックヘッド自身を貫通する開口部であって、当該開口部は前記ストラップの他方の端部を受け入れ、当該他方の端部は前記開口部内にロック方向に挿入可能で、束ねられるケーブルを受け入れるためのループを形成し、前記ストラップ歯が前記ループの外側で前記束ねられるケーブルとは反対側の面に配置される開口部と；
前記ストラップ歯と相補的であり、前記開口部内に延びて前記ストラップが解放方向に移動することを阻止するため前記ストラップ歯の少なくとも１つと係合するよう形成された少なくとも１つのラッチロック歯を有する解放可能ラッチと；
使用者が容易にアクセス可能であり、前記解放可能ラッチから前記ロックヘッドの第２の端部に向けて延びるパッドであって、押し付けられると前記解放可能ラッチにある屈曲線を中心に屈曲して前記ストラップが前記解放方向へ移動可能となるよう前記少なくとも１つのロック歯を前記少なくとも１つのストラップ歯との係合から解除するパッドと；
前記開口部から前記ロックヘッドの第２の端部に向けて延び、前記パッドの下方に位置するバックプレートであって、使用者が容易にアクセス可能であり、使用者の人差し指のサポートを提供するよう形成されたバックプレートと、
を具えており、
前記パッドと前記バックプレートは、前記ストラップが前記開口部内にあるときに前記ループから離れる方向に前記ストラップに対してほぼ直角に延びており、前記バックプレートが少なくとも前記パッドの幅および長さと同じ幅および長さを有していることを特徴とする解放可能ケーブル結束具。
【請求項２】
前記少なくとも１つのラッチロック歯は、前記ストラップ歯が前記開口部を移動する際に当該ストラップ歯と対向する側の開口部にあり、前記パッドの動きにより直接動作して前記少なくとも１つのラッチロック歯を前記少なくとも１つのストラップ歯とのロック係合から解除して前記ストラップが前記解放方向へ移動するに十分な距離だけ移動させる、請求項１に記載された解放可能ケーブル拘束具。
【請求項３】
前記パッドが、前記ストラップの幅の少なくとも９０％の幅を有する、請求項１に記載された解放可能ケーブル結束具。
【請求項４】
前記パッドが、自身の遠隔端につまみ部を有する、請求項３に記載された解放可能ケーブル結束具。
【請求項５】
前記少なくとも１つのラッチロック歯が前記解放可能ラッチの一方の端部に配置され、前記パッドが前記解放可能ラッチの他方の端部に配置され、当該解放可能ラッチはさらに該解放可能ラッチを支持する支点を有し、これにより前記パッドの端部への圧力が前記解放可能ラッチを前記支点の回りに屈曲させて前記少なくとも１つのラッチロック歯を前記少なくとも１つのストラップ歯との係合から解除する、請求項１に記載された解放可能ケーブル結束具。
【請求項６】
前記支点が前記少なくとも１つのラッチロック歯より下側に位置している、請求項５に記載された解放可能ケーブル結束具。
【請求項７】
前記ロックヘッドが、前記解放可能ラッチを補強して前記解放ラッチのための前記支点と屈曲線とを定めるよう構成され形成された側壁を含む、請求項６に記載された解放可能ケーブル結束具。
【請求項８】
電気ケーブルを束ねて保持する方法において；
一方の面に複数のストラップ歯、一方の端部にロックヘッドを具えている、一体に成型された樹脂製の細長く平坦なストラップを提供し；
前記ロックヘッドの開口部内に前記ストラップの他方の端部をロック方向に挿入して束ねられるケーブルを受け入れるループを形成し、この際に前記複数のストラップ歯が前記ループの外側で前記束ねられるケーブルから離れる方向に配置され、前記ロックヘッドは前記ループから離れる方向に前記ストラップに対してほぼ直角に延びており；
前記ストラップの開放方向への移動を阻止するため、前記ストラップ歯と相補的で前記開口部内に延びている前記ロックヘッドの解放可能ラッチに形成された少なくとも１つのロック歯を少なくとも１つのストラップ歯と係合させて前記ストラップを前記ロックヘッド内でロックし；
使用者が容易にアクセス可能に前記開口部から離れるよう前記解放可能ラッチから延びるパットを第１の指で押し付け、前記ロックヘッドにある解放可能ラッチを操作することによって前記ロックされたストラップを解放し、ここで前記解放可能ラッチは前記ストラップが前記開口部内にある時に当該ストラップから離れる方向に延びており、前記解放可能ラッチは、前記ロックヘッドにある屈曲線に沿って屈曲して前記ロック歯を前記少なくとも１つのストラップ歯との係合から解除して前記ストラップを解放方向に移動可能にし；
前記パッドが前記第１の指に押し付けられている間に当該パッドの下側に位置するバックプレート上に第２の指を添えることによって前記ストラップを前記ロックヘッドから取り除き、前記解放ラッチを前記第１と第２の指の間に保持して当該解放ラッチを前記ループから離れる方向に引き、前記バックプレートが前記パッドの幅と長さに少なくとも同等の幅と長さを有していること、
からなることを特徴とする電気ケーブルを束ねて保持する方法。
【請求項９】
前記少なくとも１つのラッチロック歯は前記ストラップが開口部を移動する際に該ストラップの歯の面に対向する側の前記開口部にあり、前記少なくとも１つのラッチロック歯は前記パッドの動きによって直接操作され、前記ストラップの前記解放方向への移動を可能にするよう前記少なくとも１つのストラップ歯とのロック係合から前記少なくとも１つのラッチロック歯を十分な距離だけ移動させる、請求項８に記載された電気ケーブルを束ねて保持する方法。
【請求項１０】
前記パッドが、前記ストラップ幅の少なくとも９０％の幅を有し、自身の遠隔端につまみ部を有する、請求項８に記載された電気ケーブルを束ねて保持する方法。
【請求項１１】
前記パッドが、前記ストラップ幅の少なくとも９５％の幅を有する、請求項８に記載された電気ケーブルを束ねて保持する方法。
【請求項１２】
前記少なくとも１つのラッチロック歯は前記解放可能ラッチの一方の端部に配置され、前記パッドは前記解放可能ラッチの他方の端部に配置されており、前記解放可能ラッチはさらに該解放可能ラッチを支持して前記少なくとも１つのラッチロック歯の下側に配置された支点を有し、これにより前記パッドの端にかかる圧力が前記解放可能ラッチを前記支点の回りに屈曲させ、前記少なくとも１つのラッチロック歯を前記少なくとも１つのストラップ歯との係合から解除する、請求項８に記載された電気ケーブルを束ねて保持する方法。
【請求項１３】
前記ロックヘッドが、前記解放可能ラッチのための前記支点と前記屈曲線を定めて補強するよう構成され配置された側壁をさらに含む、請求項１２に記載された電気ケーブルを束ねて保持する方法。
【請求項１４】
解放可能ケーブル結束具において、
第１の面に形成された複数の歯と；第１の端部に形成されたロックヘッドと、を有する細長い平坦なストラップから構成され、前記ロックヘッドが、
前記ストラップの第１の端部に隣接する該ロックヘッドの第１の端部に該ロックヘッドを貫通するよう形成された開口部であって、該開口部は前記ストラップの軸に横向きに形成され、該開口部は前記複数の歯が前記開口部の第１の側に対向するよう前記ストラップの第２の端部を受け入れ、前記ストラップが前記開口部内に挿入されると束ねられる電気ケーブルを受け入れるためのループを形成し、その際に前記複数の歯が前記ループの外側となる開口部と；
前記開口部の前記第１の側の内部に延びる少なくとも１つのロック歯を有する解放可能ラッチであって、前記少なくとも１つのロック歯は少なくとも１つのストラップ歯と係合するよう前記ストラップの複数の歯と相補的であり、前記少なくとも１つのロック歯と前記少なくとも１つのストラップ歯との係合が前記ループの周囲を縮めるよう前記ストラップが第１の方向へ移動することを可能にすると同時に、該ストラップが広がるかもしくは前記ループを解消する第２の方向への移動を阻止する解放可能ラッチと；
前記解放可能ラッチから前記ロックヘッドの第２の端部に向けて延びるパッドであって、前記ストラップの幅の少なくとも９５％の幅を有し、自身の遠隔端につまみ部を有するよう形成されたパッドと；
前記開口部から前記ロックヘッドの前記第２の端部に向けて延びるバックプレートであって、前記パッドの下側に配置され、少なくとも前記親指パッドの幅および長さと同じ幅および長さを有するバックプレートと；
前記解放可能ラッチを支持し、該解放可能ラッチの屈曲線を提供するよう該解放可能ラッチの下側に位置する支点と;
前記解放可能ラッチを補強し、該解放可能ラッチのための前記支点と屈曲線を定める側壁と、を具えており、
前記ロックヘッドのパッドとバックプレートは、前記ストラップが前記開口部内にあるときに前記ループから離れる方向に前記ストラップからほぼ直角に延び；
前記パッドとバックプレートは使用者が容易にアクセス可能であり；
前記パッドは使用者の第１の指によって押し付けられるよう形成され；
前記バックプレートは使用者の第２の指によって支持されるよう形成され；
前記少なくとも１つのラッチロック歯は、前記パッドの動きによって直接操作され、これによって該パッドの下方向への十分な動きが前記少なくとも１つのラッチロック歯を前記少なくとも１つのストラップ歯とのロック係合から移動させて前記ストラップの前記第２の方向への移動を許容することを特徴とする解放可能ケーブル結束具。
【請求項１５】
前記バックプレート上の前記第２の指は、前記第１の指が前記パッドを押し付けできるレバー効果を及ぼす、請求項１４に記載された解放可能ケーブル結束具。
【請求項１６】
使用者が前記ストラップを前記ロックヘッドから取り除くよう前記ロックヘッドを前記第１および第２の指の間に摘まむことが可能である、請求項１４に記載された解放可能ケーブル結束具。
【請求項１７】
前記バックプレートが、前記第２の指により把持可能な開口を有する、請求項１４に記載された解放可能ケーブル結束具。
【請求項１８】
前記パッドの長さと前記バックプレートから上の前記パッドの高さのいずれか一方もしくは双方が、前記ストラップの幅の関数である、請求項１４に記載された解放可能結ケーブル束具。
【国際調査報告】
2021516198.tif 000008